(57)【要約】【課題】殺菌効果が向上された機能ミストを発生させることができる機能ミスト発生装置等を提供する。【解決手段】機能ミスト発生装置１００は、水に電圧を印加して水中プラズマを発生させることで機能水を生成する生成部１１０と、機能水に超音波振動を印加して、当該機能水をミスト化した機能ミストＭを発生させる超音波振動部１２０とを備える。【選択図】図１
2019072681.tif 000002
【特許請求の範囲】
【請求項１】
水に電圧を印加して水中プラズマを発生させることで機能水を生成する生成部と、
前記機能水に超音波振動を印加して、前記機能水をミスト化した機能ミストを発生させる超音波振動部とを備える
機能ミスト発生装置。
【請求項２】
さらに、前記超音波振動部が印加する超音波振動の周波数を、前記水に気泡を発生させる第１の周波数と、前記第１の周波数より高い周波数であり、前記機能水をミスト化する第２の周波数とに切り替える制御をする周波数制御部を備える
請求項１に記載の機能ミスト発生装置。
【請求項３】
さらに、前記機能ミストに電圧を印加して活性種を付与する付与部を備える
請求項１又は２に記載の機能ミスト発生装置。
【請求項４】
前記活性種は、ＯＨラジカルである
請求項３に記載の機能ミスト発生装置。
【請求項５】
水に電圧を印加して水中プラズマを発生させることで機能水を生成するステップと、
前記機能水に超音波振動を印加して、前記機能水をミスト化した機能ミストを発生させるステップとを含む
機能ミスト発生方法。
【請求項６】
さらに、前記水に超音波振動を印加することで気泡を発生させるステップを含み、
前記機能水をミスト化するために印加する超音波振動の第１の周波数の方が、前記水に気泡を発生させるために印加する第２の周波数よりも高い
請求項５に記載の機能ミスト発生方法。
【請求項７】
水に超音波振動を印加して前記水に気泡を発生させる超音波振動部と、
前記気泡を発生させた前記水に電圧を印加して水中プラズマを発生させることで機能水を生成する生成部とを備える
機能水生成装置。
【請求項８】
水に超音波振動を印加して前記水に気泡を発生させるステップと、
前記気泡を発生させた前記水に電圧を印加して水中プラズマを発生させることで機能水を生成するステップとを含む
機能水生成方法。
【発明の詳細な説明】
【技術分野】
【０００１】
本発明は、機能ミスト発生装置、機能ミスト発生方法、機能水生成装置及び機能水生成方法に関する。
【背景技術】
【０００２】
従来、除菌、脱臭等に用いられるミストである機能ミストを発生させる装置として、例えば、特許文献１に開示される装置が知られている。特許文献１に開示されている脱臭装置は、水を酸性水とアルカリ性水とに電解して、電解した酸性水と電解したアルカリ性水とに超音波振動を印加してミスト化する。
【先行技術文献】
【特許文献】
【０００３】
【特許文献１】特開２０１０−６４００１号公報
【発明の概要】
【発明が解決しようとする課題】
【０００４】
殺菌に用いられる機能ミストには、短時間でより多くの菌を殺菌する等の殺菌効果の向上が望まれている。
【０００５】
本発明は、簡便な構成で殺菌効果が向上された機能ミストを発生させることができる機能ミスト発生装置等を提供する。
【課題を解決するための手段】
【０００６】
本発明の一態様に係る機能ミスト発生装置は、水に電圧を印加して水中プラズマを発生させることで機能水を生成する生成部と、前記機能水に超音波振動を印加して、前記機能水をミスト化した機能ミストを発生させる超音波振動部とを備える。
【０００７】
また、本発明の一態様に係る機能ミスト発生方法は、水に電圧を印加して水中プラズマを発生させることで機能水を生成するステップと、前記機能水に超音波振動を印加して、前記機能水をミスト化した機能ミストを発生させるステップとを含む。
【０００８】
また、本発明の一態様に係る機能水生成装置は、水に超音波振動を印加して前記水に気泡を発生させる超音波振動部と、前記気泡を発生させた前記水に電圧を印加して水中プラズマを発生させることで機能水を生成する生成部とを備える。
【０００９】
また、本発明の一態様に係る機能水生成方法は、水に超音波振動を印加して前記水に気泡を発生させるステップと、前記気泡を発生させた前記水に電圧を印加して水中プラズマを発生させることで機能水を生成するステップとを含む。
【発明の効果】
【００１０】
本発明の一態様に係る機能ミスト発生装置等によれば、簡便な構成で殺菌効果が向上された機能ミストを発生させることができる。
【図面の簡単な説明】
【００１１】
【図１】図１は、実施の形態１に係る機能ミスト発生装置の構成を示す図である。
【図２】図２は、実施の形態に係る機能ミスト発生装置が機能ミストを発生させる手順を示すフローチャートである。
【図３】図３は、実施の形態１に係る機能ミスト発生装置が機能ミストを発生させる手順を説明するための図である。
【図４】図４は、実施の形態２に係る機能ミスト発生装置の構成を示す図である。
【発明を実施するための形態】
【００１２】
以下、本発明の実施の形態に係る機能ミスト発生装置等について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００１３】
なお、各図は模式図であり、サイズ、形状等が必ずしも厳密に図示されたものではない。また、各図において、実質的に同一の構成に対しては同一の符号を付しており、重複する説明は省略又は簡略化される場合がある。
【００１４】
また、本明細書において、殺菌とは、例えば、黄色ブドウ球菌、表皮ブドウ球菌等の菌類、Ｅｓｃｈｅｒｉｃｈｉａ  ｃｏｌｉ．（大腸菌）、Ｐｓｅｕｄｏｍｏｎａｓ  ｓｐ．（緑膿菌）、Ｋｌｅｂｓｉｅｌｌａ  ｓｐ．（肺炎桿菌）等の細菌、Ｃｌａｄｏｓｐｏｒｉｕｍ．  ｓｐ．（黒カビ）、Ａｓｐｅｒｇｉｌｌｕｓ（黒コウジカビ）等のカビ類を含む真菌類、及び／又は、ノロウィルス等のウィルスを分解して菌等の全体数を減らすことを意味し、除菌又は滅菌する意味も含む。なお、上記の殺菌の対象とする菌類、細菌類、真菌、ウィルス等は一例であり、限定されるものではない。また、本明細書において、菌類、細菌類、真菌、ウィルス等をまとめて単に「菌」と記載する場合がある。
【００１５】
（実施の形態１）
［機能ミスト発生装置の構成］
まず、図１を参照して、実施の形態１に係る機能ミスト発生装置の構成について説明する。図１は、実施の形態１に係る機能ミスト発生装置の構成を示す図である。
【００１６】
機能ミスト発生装置１００は、水に電圧を印加して水中プラズマを発生させることで殺菌効果を有する機能水を生成して、生成した機能水をミスト化して殺菌効果を有する機能ミストＭを発生させる装置である。殺菌効果とは、菌類、細菌類、真菌類、ウィルス等を殺菌する効果であり、特に、短時間で多くの菌を殺菌する効果を意味する。機能ミスト発生装置１００は、生成部１１０と、超音波振動部１２０と、周波数制御部１３０とを備える。
【００１７】
生成部１１０は、水に電圧を印加することで水中プラズマを発生させて、機能水を生成する装置である。水に電圧を印加することで水中プラズマを発生させることで、水中には殺菌効果を有するオゾンが生成するといわれている。そのため、生成部１１０は、水に電圧を印加して水中プラズマを発生させることで、殺菌効果を有する機能水を生成することができる。
【００１８】
生成部１１０は、容器１１１と、陽極１１２と、陰極１１３とを備える。
【００１９】
容器１１１は、水（Ｈ２Ｏ）を蓄える容器である。容器１１１の材料は、水中プラズマ及び水中プラズマによって生成されるオゾンによる腐食等が発生しにくい材料であればよく、特に限定されない。また、容器１１１の一部には開口が形成されている。容器１１１に形成されている開口から、陽極１１２及び陰極１１３によって電圧が印加されることで生成される機能水をミスト化した機能ミストＭが発せられる。
【００２０】
陽極１１２及び陰極１１３は、容器１１１内の水に電圧を印加するための電極対である。機能水は、陽極１１２及び陰極１１３の間に電圧が印加されることで生成される。具体的には、陽極１１２及び陰極１１３によって水に高周波電圧が印加されることで、水中には気泡Ｂが発生する。高周波電圧の波形は、特に限定されるものではなく、例えば、パルス状、正弦波状等である。高周波電圧の周波数もまた、特に限定されるものではなく、例えば、１ｋＨｚ〜数ＧＨｚ程度である。
【００２１】
発生した気泡Ｂに電圧が印加されることにより、水中プラズマが発生する。水中に水中プラズマが発生することにより、殺菌効果を有する機能水は生成される。水中プラズマが発生することにより殺菌効果を有する活性種の一例であるオゾンが発生し、発生したオゾンが水に溶けることにより、殺菌効果を有する機能水が生成されるといわれている。
【００２２】
陽極１１２及び陰極１１３の材料は、特に限定されるものではないが、例えば、プラチナを主成分とする金属電極である。
【００２３】
超音波振動部１２０は、生成部１１０で生成された機能水をミスト化する装置である。例えば、超音波振動部１２０は、機能水に超音波振動を印加して、機能ミストＭを発生させる超音波振動子である。
【００２４】
超音波振動を水中から、水と空気との界面となる水表面に向けて印加することで、水表面に噴水状の水柱が生成されるといわれている。さらに超音波振動を水中から水表面に向けて印加することで、水表面に生成された水柱がちぎれて数マイクロメートルオーダの粒径のミストが生成されるといわれている。このような微細なミストを生成することで、広い範囲にミストを拡散させることができる。また、このような微細なミストによれば、粒径が大きいミストと比較して、ミストが拡散される空間にある構造物等を濡らす、ミストが拡散される空間の湿度を上昇させる等の悪影響を抑制することができる。
【００２５】
周波数制御部１３０は、超音波振動部１２０が機能水に印加する超音波振動の周波数を制御する制御装置である。具体的には、周波数制御部１３０は、超音波振動部１２０が備える超音波振動子が発振する超音波振動の周波数を制御する制御回路である。
【００２６】
具体的には、周波数制御部１３０は、超音波振動部１２０が水印加する超音波振動の周波数を、水に気泡Ｂを発生させる第１の周波数と、第１の周波数より高い周波数であり、機能水をミスト化する第２の周波数とに切り替える制御をする。言い換えると、周波数制御部１３０は、機能水の殺菌効果を向上させるために水中に気泡Ｂを発生させる第１の周波数を超音波振動部１２０に発振させるモードと、機能水をミスト化させる第２の周波数を超音波振動部１２０に発振させるモードとを有する。
【００２７】
水に印加する超音波振動は、周波数によって水に与える影響が異なることが知られている。例えば、水に印加する超音波振動の周波数が低い場合には、超音波振動が印加された水には気泡Ｂが発生する。具体的には、水に印加する超音波振動の周波数が２０ｋＨｚ〜１７０ｋＨｚ程度の場合には、超音波振動が印加された水には、ナノメートルオーダからマイクロメートルオーダ程度の気泡Ｂが発生する。水に印加する超音波振動の周波数が高くなる程、水に発生する気泡Ｂの粒径は小さくなる。そのため、水に印加する超音波振動の周波数を制御することで、気泡Ｂが発生して、発生した気泡Ｂが消滅する（つまり、水に溶ける）現象であるキャビテーションを発生させることができる。このように、水中に気泡を発生させることで、殺菌に寄与する活性種を水中に多く発生させることができると考えられている。
【００２８】
また、水に印加する超音波振動の周波数をさらに数百ｋＨｚまで高くすると、超音波振動が印加された水は水表面からミストを発生させる。
【００２９】
ここで、上述したように、水中プラズマが発生することによりオゾンが発生し、発生したオゾンが水に溶けることにより、機能水が生成される。そのため、水中に水中プラズマを多く発生させることで、機能水の殺菌効果を向上させることができる。
【００３０】
また、生成部１１０が有する陽極１１２及び陰極１１３に電圧が印加されることで、水中に気泡Ｂが発生し、発生した気泡Ｂに電圧が印加されることにより、水中プラズマが発生する。そのため、生成部１１０は、超音波振動部１２０によって水中に気泡Ｂを多く発生させることで、より多くの水中プラズマを発生させることができると考えらえる。
【００３１】
つまり、水中に気泡Ｂを多く発生させた水に陽極１１２及び陰極１１３で電圧を印加して水中プラズマを発生させることで、機能水の殺菌効果を向上させることができる。さらには、殺菌効果を向上させた機能水をミスト化させることで、機能ミストＭの殺菌効果もまた向上する。
【００３２】
そのため、例えば、殺菌効果が向上された機能水をミスト化せずに用いる場合には、本発明は、水に超音波振動を印加して水に気泡Ｂを発生させる超音波振動部１２０と、気泡Ｂを発生させた水に電圧を印加して水中プラズマを発生させることで機能水を生成する生成部１１０とを備える機能水生成装置１００として実現されてもよい。
【００３３】
なお、周波数制御部１３０は、生成部１１０が水に超音波振動を印加する時間を測定するために、ＲＴＣ（Ｒｅａｌ  Ｔｉｍｅ  Ｃｌｏｃｋ）等の計時部をさらに備えてもよい。周波数制御部１３０は、計時部で測定された時間に基づいて、超音波振動部１２０が水又は機能水に印加する超音波振動における第１の周波数と第２の周波数とを制御する等の制御プログラムに基づいた動作を実行してもよい。周波数制御部１３０は、制御プログラムに基づいた動作を実行する場合、制御プログラムを記憶するＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の記憶装置と、制御プログラムを実行するＣＰＵ（Ｃｅｎｔｒａｌ  Ｐｒｏｃｅｓｓｉｎｇ  Ｕｎｉｔ）とを備えてもよい。また、周波数制御部１３０は、予め定められた動作を実行する場合、制御プログラムがハードウェア的に実現される専用の電子回路等を備えてもよい。
【００３４】
また、周波数制御部１３０は、超音波振動部１２０が水に印加する超音波振動の周波数を、水中に気泡Ｂを発生させるための第１の周波数と機能水をミスト化するための第２の周波数とを切り替えられればよいが、例えば、気泡Ｂの粒径を制御するために、さらに第１の周波数及び第２の周波数と異なる周波数で制御ができてもよい。
【００３５】
［機能ミスト発生方法の手順］
続いて、図２及び図３を参照して、実施の形態１に係る機能ミスト発生装置１００が発生する機能ミストＭの発生方法の詳細について説明する。
【００３６】
図２は、実施の形態１に係る機能ミスト発生装置が機能ミストを発生する手順を示すフローチャートである。図３は、実施の形態１に係る機能ミスト発生装置が機能ミストを発生させる手順を説明するための図である。具体的には、図３の（ａ）は、超音波振動部１２０が水中に気泡Ｂを発生させている状態を説明するための図であり、図３の（ｂ）は、超音波振動部１２０が機能ミストＭを発生させている状態を説明するための図である。より具体的には、図３の（ａ）は、超音波振動部１２０が水に第１の周波数の超音波振動を印加している状態を説明するための図であり、図３の（ｂ）は、超音波振動部１２０が機能水に第２の周波数の超音波振動を印加している状態を説明するための図である。
【００３７】
図２及び図３の（ａ）に示すように、超音波振動部１２０は、水に第１の周波数の超音波振動を印加して、水中に気泡Ｂを発生させる（ステップＳ１０１）。具体的には、ステップＳ１０１において、周波数制御部１３０は、超音波振動部１２０に第１の周波数の超音波振動を発振させることで、水中に気泡Ｂを発生させる。
【００３８】
次に、生成部１１０は、気泡Ｂが発生した水中に電圧を印加して水中プラズマを発生させることで、機能水を生成する（ステップＳ１０２）。
【００３９】
次に、図２及び図３の（ｂ）に示すように、超音波振動部１２０は、機能水に第２の周波数の超音波振動を印加して、機能ミストＭを発生させる（ステップＳ１０３）。具体的には、ステップＳ１０３において、周波数制御部１３０は、超音波振動部１２０に第２の周波数の超音波振動を発振させることで、機能水をミスト化した機能ミストＭを発生させる。
【００４０】
なお、ステップＳ１０２において、生成部１１０が機能水を生成している際に、超音波振動部１２０は、水に第１の周波数の超音波振動を印加して、水中に気泡Ｂを発生させてもよい。また、ステップＳ１０３において、超音波振動部１２０が機能ミストＭを発生させている際に、生成部１１０は、気泡Ｂが発生した水中に電圧を印加して水中プラズマを発生させることで、機能水を生成してもよい。このように、生成部１１０が実行する機能水の生成と、超音波振動部１２０が実行する水への超音波振動の印加とは、同じタイミングで行われてもよいし、異なるタイミングで行なわれてもよい。
【００４１】
［効果等］
以上、実施の形態１に係る機能ミスト発生装置１００は、水中プラズマを発生させて機能水を生成する生成部１１０と、生成した機能水に超音波振動を印加して、生成した機能水をミスト化した機能ミストＭを発生させる超音波振動部１２０とを備える。
【００４２】
また、実施の形態１に係る機能ミスト発生方法は、水に電圧を印加して水中プラズマを発生させることで機能水を生成するステップと、生成した機能水に超音波振動を印加して、機能水をミスト化した機能ミストＭを発生させるステップとを含む。
【００４３】
これにより、機能ミスト発生装置１００の構成によれば、生成部１１０が水中に水中プラズマを発生させることで、殺菌効果の高い機能水を生成できる。そのため、機能ミスト発生装置１００によれば、殺菌効果の高い機能水をミスト化するために、殺菌効果が向上された機能ミストＭを発生させることができる。
【００４４】
また、機能ミスト発生装置１００は、機能水をミスト化する際に、超音波振動を利用するため、粒径が小さい機能ミストＭを発生させることができる。これにより、機能ミスト発生装置１００が発生させる機能ミストＭは、広範囲に広がることができる。そのため、機能ミスト発生装置１００によれば、より広範囲の空間の菌を除菌することができる。
【００４５】
また、機能ミスト発生装置１００は、さらに、超音波振動部１２０が機能水に印加する超音波振動の周波数を制御する周波数制御部１３０を備えてもよい。周波数制御部１３０は、超音波振動部１２０における、水中プラズマを発生させる水にキャビテーションを発生させる第１の周波数と、第１の周波数より高い周波数であり、機能水をミスト化する第２の周波数とに切り替える制御をしてもよい。
【００４６】
また、実施の形態１に係る機能ミスト発生方法は、さらに、水に超音波振動を印加することで気泡Ｂを発生させるステップを含んでもよい。なお、機能水をミスト化するために印加する超音波振動の第１の周波数の方が、水に気泡Ｂを発生させるために印加する第２の周波数よりも高い。
【００４７】
これにより、機能ミスト発生装置１００によれば、超音波振動によって水中に気泡Ｂを発生させることができるために、より多くの水中プラズマを生成することができる。そのため、機能ミスト発生装置１００は、殺菌効果がより向上された機能水を生成することができる。また、機能ミスト発生装置１００は、殺菌効果がより向上された機能水をミスト化した機能ミストＭを発生させる。そのため、機能ミスト発生装置１００によれば、殺菌効果がより向上された機能ミストＭを発生させることができる。
【００４８】
なお、例えば、殺菌効果が向上された機能水をミスト化せずに用いる場合には、本発明は、水に超音波振動を印加して水に気泡Ｂを発生させる超音波振動部１２０と、気泡Ｂを発生させた水に電圧を印加して水中プラズマを発生させることで機能水を生成する生成部１１０とを備える機能水生成装置１００として実現されてもよい。
【００４９】
また、実施の形態１に係る機能水生成方法は、水に超音波振動を印加して当該水に気泡Ｂを発生させるステップと、気泡Ｂを発生させた水に電圧を印加して水中プラズマを発生させることで機能水を生成するステップとを含む。
【００５０】
これにより、機能水生成装置１００によれば、超音波振動によって水中に気泡Ｂを発生させることができるために、より多くの水中プラズマを生成することができる。そのため、機能水生成装置１００は、殺菌効果がより向上された機能水を生成することができる。
【００５１】
（実施の形態２）
続いて、図４を参照して、実施の形態２に係る機能ミスト発生装置について説明する。なお、実施の形態２に係る機能ミスト発生装置の説明においては、実施の形態１に係る機能ミスト発生装置１００と実質的に同一の構成に関しては同一の符号を付しており、重複する説明は省略又は簡略化される場合がある。
【００５２】
［機能ミスト発生装置の構成］
図４は、実施の形態２に係る機能ミスト発生装置の構成を示す図である。なお、図４に示す活性種が付与された機能ミストＭ１には、活性種が付与されていない機能ミストＭと区別するために、ドットハッチングを付して図示している。
【００５３】
図４に示すように、実施の形態２に係る機能ミスト発生装置１００ａは、生成部１１０、超音波振動部１２０と、周波数制御部１３０と、付与部１４０とを備える。言い換えると、機能ミスト発生装置１００ａは、実施の形態１に係る機能ミスト発生装置１００の構成に、さらに、付与部１４０を備える構成となっている。
【００５４】
付与部１４０は、機能ミストＭに殺菌効果を有する活性種を印加する装置である。具体的には、付与部１４０は、容器１１１の開口の近傍に配置され、当該開口から噴霧される機能ミストＭに殺菌効果を有する活性種を付与する。付与部１４０は、陽極１４１及び陰極１４２を備える。
【００５５】
陽極１４１及び陰極１４２は、空気に電圧を印加するための電極対である。具体的には、陽極１４１及び陰極１４２は、空気中に強電界を発生させる。陽極１４１及び陰極１４２の間を通過する機能ミストＭは、陽極１４１及び陰極１４２の間に発生される強電界中を通過することで、例えばＯＨラジカル、負の電荷等の殺菌に寄与する活性種が付与される。言い換えると、付与部１４０は、機能ミストＭに強電界を印加することで、機能ミストＭに活性種を付与して機能ミストＭ１を生成する。こうすることで、機能ミストＭ１には、生成部１１０によって付与された活性種の一例であるオゾンと、付与部１４０によって付与される活性種の一例であるＯＨラジカル等とが含まれる。
【００５６】
［効果等］
以上、実施の形態２に係る機能ミスト発生装置１００ａは、実施の形態１に係る機能ミスト発生装置１００の構成に、さらに、機能ミストＭに電圧を印加して活性種を付与する付与部１４０を備える。
【００５７】
こうすることで、機能ミストＭは、付与部１４０によって活性種が付与された機能ミストＭ１となる。機能ミストＭ１によれば、機能ミストＭよりも、殺菌に寄与する活性種が多く含まれるため、殺菌効果もまた向上される。
【００５８】
例えば、活性種は、殺菌効果を有していればよく、特に限定されないが、殺菌効果が高いことが知られているＯＨラジカルが採用されるとよい。つまり、機能ミストＭ１に含まれる活性種として、ＯＨラジカルを採用することで、機能ミストＭ１の殺菌効果は、より向上される。また、ＯＨラジカルは、機能ミストＭに電圧を印加することにより、簡便に機能ミストＭに付与することができる。そのため、付与部１４０によれば、ＯＨラジカルをさらに付与された機能ミストＭ１を簡便に生成でき、且つ、機能ミストＭの殺菌効果を向上させることができる。
【００５９】
（その他の実施の形態）
以上、実施の形態１及び実施の形態２に係る機能ミスト発生装置等について説明したが、本発明は、上記実施の形態に限定されるものではない。
【００６０】
例えば、上記実施の形態では、生成部１１０は、水に電圧を印加することで、水に水中プラズマを発生させた。生成部１１０がプラズマを発生させる水は、例えば、塩化ナトリウム（ＮａＣｌ）等の物質が含まれていてもよく、純水でなくてもよい。
【００６１】
その他、各実施の形態に対して当業者が思いつく各種変形を施して得られる形態、又は、本発明の主旨を逸脱しない範囲で各実施の形態における構成要素及び機能を任意に組み合わせることで実現される形態も本発明に含まれる。
【符号の説明】
【００６２】
１００  機能ミスト発生装置（機能水生成装置）
１００ａ  機能ミスト発生装置
１１０  生成部
１２０  超音波振動部
１３０  周波数制御部
１４０  付与部
Ｂ  気泡
Ｍ、Ｍ１  機能ミスト
【図１】
2019072681.tif 000003
【図２】
2019072681.tif 000004
【図３】
2019072681.tif 000005
【図４】
2019072681.tif 000006